(57)【要約】      （修正有）【課題】千鳥葺きする屋根の隅棟瓦の形状が全体に亘ってほぼ同形になるように定形化した屋根において、一般的に使用する平板瓦と寸法が大きく異ならない瓦を使用できるようにする。【解決手段】軒先寸法Ｌ1 における両端の役瓦３、3aを除く寸法を、平板瓦１、1a…の利き幅Ｗの１／３の幅の倍数とすると共に、葺設状態の平板瓦１、1a…の利き足Ｂ１の水平投影寸法Ｂを利き幅Ｗの５／６として千鳥葺きし、両側の役瓦３、3aと、各列の両端の平板瓦１、1a…の間に形成される、平板瓦１、1a…の利き幅Ｗの１／３の幅又は２／３の幅の隙間に、平板瓦１、1a…の利き幅Ｗの１／３又は２／３の利き幅ｗ、２ｗの調節瓦２、2aを葺設する。よって、上記平板瓦１、1a…は正方形に近くなって、一般的な平板瓦の形状の近似形することが可能になり、而も平板瓦１、1a…を三角形状に分割して形成する瓦を使用せずに瓦屋根が構築可能になる。【選択図】図２
2005256514.tif 000002
【特許請求の範囲】
【請求項１】
利き足の水平投影寸法が利き幅の５／６となる様に屋根勾配により重ね寸法を調節可能
にしたことを特徴とする平板瓦。
【請求項２】
利き幅を３００ｍｍとしたことを特徴とする請求項１記載の平板瓦。
【請求項３】
軒先寸法における両端の役瓦を除く寸法を、平板瓦の利き幅の１／３の幅の倍数とする
と共に、葺設状態の平板瓦の利き足の水平投影寸法を利き幅の５／６として千鳥葺きし、
両側の役瓦と、各列の両端の平板瓦の間に形成される、平板瓦の利き幅の１／３の幅又は
２／３の幅の隙間に、平板瓦の利き幅の１／３又は２／３の利き幅の調節瓦を葺設する様
にしたことを特徴とする平板瓦の葺設工法。
【発明の詳細な説明】
【技術分野】
【０００１】
本発明は、隅棟瓦及び該隅棟瓦近辺に葺設する瓦を定型化する様にした平板瓦及び該平
板瓦の葺設工法に関する。
【背景技術】
【０００２】
本願出願人は、屋根勾配の緩急に関係なく方眼状なる基本図により屋根伏図が作成出来
ると共に、隅棟部に葺設する隅棟桟瓦の形状が全体にわたって同形となる様に、屋根瓦を
、屋根の勾配が急になるにつれて重ね量が小となる様に勾配方向にスライド自在とし、上
記重ね量をかえることにより屋根瓦の葺設状態における頭部投影線の間隔を、屋根の勾配
とは無関係なる定数とし、上記間隔を方眼状なる基本図の単位寸法とすることにより、隅
棟部ににおける隅棟桟瓦が全て同形となる屋根瓦の葺設工法を開発した（例えば、特許文
献１参照）。
【０００３】
【特許文献１】特願平５−３３４２６号公報（第１〜３頁、第１〜４図）
【発明の開示】
【発明が解決しようとする課題】
【０００４】
しかし、上記従来技術にあっては、特に千鳥葺きにする場合、一般的に使用する平板瓦
とは寸法が大きく異なるものを使用せねばならず、この瓦を製造するには既設の製造ライ
ンの変更等を余儀なくされ兼ねず、技術的問題点を残していた。
【課題を解決するための手段】
【０００５】
本発明は、上記従来技術に基づく、千鳥葺きする瓦の寸法が一般的なものと大きく異な
る課題に鑑み、軒先寸法における両端の役瓦を除く寸法を、平板瓦の利き幅の１／３の幅
の倍数とすると共に、葺設状態の平板瓦の利き足の水平投影寸法を利き幅の５／６として
千鳥葺きし、両側の役瓦と、各列の両端の平板瓦の間に形成される、平板瓦の利き幅の１
／３の幅又は２／３の幅の隙間に、平板瓦の利き幅の１／３又は２／３の利き幅の調節瓦
を葺設すれば、平板瓦は正方形に近くなって、一般的な平板瓦の形状の近似形にすること
が可能になり、而も平板瓦を三角形状に分割して形成する瓦を使用せずに瓦屋根を構築可
能にして、上記課題を解決する。
而も、平板瓦の利き幅を３００ｍｍにすれば、一般的な平板瓦と略同じ大きさにするこ
とが可能になり、既設の製造ラインの変更が金型を除き略不要になる。
【発明の効果】
【０００６】
要するに本発明は、利き足の水平投影寸法が利き幅の５／６となる様に屋根勾配により
重ね寸法を調節可能にしたので、千鳥葺きは下列の瓦の中央に上列の隣接する瓦の境界が
位置することから、隅棟瓦を全て同形にすると、上列の役瓦の下方に位置する瓦の利き幅
と、その隣に葺設する平板瓦の利き幅の１／２を足して利き幅の５／６を引く、即ち上列
の役瓦の下方に位置する瓦の幅から利き幅の１／３を引けば、上列の役瓦の隣に葺設する
瓦の利き幅になることから、桁行き方向の葺設列における役瓦を除いた部分の寸法を、利
き幅の１／３の倍数にすれば役瓦の隣に葺設する瓦の利き幅は、平板瓦の利き幅の１／３
又は２／３のものか、平板瓦そのものになるため、平板瓦と２種類の利き幅の瓦の３種類
、場合によっては平板瓦と、該平板瓦の利き幅の１／３の利き幅の瓦の２種類を用意すれ
ば、平板瓦の分割により発生する廃材を皆無にしつつ、完璧な瓦屋根を容易に構築するこ
とが出来る。
又、上記平板瓦は正方形に近くなって、一般的な平板瓦の形状の近似形になり、利き幅
を３００ｍｍとすれば、一般的な平板瓦の利き幅の３０３〜３０５ｍｍに近似させること
が可能になることら、金型を少し修正すれば、従来の製造ラインをそのまま利用すること
が出来、而も利き足の水平投影寸法は２５０ｍｍとなるため、寄棟屋根における両側の三
角形状の屋根面における軒先寸法を５００ｍｍ単位の寸法にすることが出来、よって瓦の
割付け作業を更に容易に構築することが出来る。
【０００７】
軒先寸法における両端の役瓦を除く寸法を、平板瓦の利き幅の１／３の幅の倍数とする
と共に、葺設状態の平板瓦の利き足の水平投影寸法を利き幅の５／６として千鳥葺きし、
両側の役瓦と、各列の両端の平板瓦の間に形成される、平板瓦の利き幅の１／３の幅又は
２／３の幅の隙間に、平板瓦の利き幅の１／３又は２／３の利き幅の調節瓦を葺設する様
にしたので、所定個所に所定の平板瓦又は調節瓦を規則的に葺設して行けば完璧な瓦屋根
にすることが出来るため、地割り作業及び葺設作業の容易化を図ることが出来る等その実
用的効果甚だ大である。
【発明を実施するための最良の形態】
【０００８】
本発明に係る千鳥葺き用の平板瓦１、1a…にあっては、利き幅Ｗで、利き足Ｂ１が調節
可能なものであり、屋根勾配θに拘らず、下記数式（１）の条件で葺設可能なものとして
いる。
Ｂ＝Ｂ１・ｃｏｓθ………（１）
つまり、屋根伏図とした場合、桁行方向がＷ、勾配方向がＢの矩形になり、Ｂ＝５Ｗ／
６とすれば、葺き幅が１列毎に２Ｂ（５Ｗ／３）ずつ変化することになる。
従って、ｎ列目の桁行き寸法Ｌn は下記数式（２）の通りである。
Ｌn ＝Ｌn-1 −２Ｂ（ｎ≧２）
＝Ｌn-1 −５Ｗ／３………（２）
Ｗ／３＝ｗとすると、下記数式（３）が成立する。
Ｌn-1 −Ｌn ＝−５ｗ………（３）
つまり、１列毎に幅５ｗだけ狭くなるが、これにより各列に生じる幅Ｗ以下の隙間も単
位寸法ｗの倍数になる。
【０００９】
第ｎ列の葺設始端側に隙間無く平板瓦１が葺設されている場合、図２に示す様に、
第（ｎ＋１）列の葺設始端側には、Ｗ＋（Ｗ／２）−（５Ｗ／６）＝２Ｗ／３、即ち幅
２ｗの隙間が生じるため、利き幅２ｗの調節瓦2aを葺設し、
第（ｎ＋２）列の葺設始端側には、２Ｗ／３＋（Ｗ／２）−（５Ｗ／６）＝Ｗ／３、即
ち幅ｗの隙間が生じるため、利き幅ｗの調節瓦２を葺設し、
第（ｎ＋３）列の葺設始端側には、Ｗ／３＋（Ｗ／２）−（５Ｗ／６）＝０、即ち隙間
無く平板瓦１を葺設する。
つまり、葺設始端側に形成される隙間の幅は単位寸法ｗの倍数になり、葺設始端側に隙
間が無い列の直上列の葺設始端側には幅２ｗの隙間が、幅２ｗの隙間のある列の直上列に
は幅ｗの隙間が夫々形成されるため、該当する調節瓦２、2aを葺設すると共に、葺設始端
側に幅ｗの隙間のある列の直上列には隙間がないため、そのまま平板瓦１を葺設するとい
うパターンが繰り返される。
そして、葺設終端側に形成される隙間も単位寸法ｗの倍数になり、而も上記と同様のパ
ターンが繰り返される。
【００１０】
寄棟屋根における両側の平面視直角三角形状の屋根面の軒先寸法Ｓ1 は、下記数式（４
）の通りである。
Ｓ1 ＝（５Ｗ／６）・２ｍ  （ｍ：瓦葺設列の総数）
＝Ｗ／３・５ｍ                                                          
＝５ｗ・ｍ………（４）
よって、屋根面両側の役瓦（隅棟瓦）３、3aの頭側幅Ｃは単位寸法ｗの倍数にするのが
好ましい。
しかし、役瓦（隅棟瓦）３、3aの頭側幅Ｃが単位寸法ｗの倍数でない場合は、幅２Ｃ以
上で該幅２Ｃに近い単位寸法ｗの倍数の１／２を仮の幅寸法Ｃ’とし、誤差（Ｃ’−Ｃ）
だけ左右に隙間を空けて葺設する様にしている。
【００１１】
尚、図面上、屋根面の両側に配置される役瓦３、3aは隅棟瓦であるが、直交する屋根の
境界に配置する谷瓦（図示せず）であっても良い。
【実施例１】
【００１２】
本発明に係る平板瓦１、1a…の利き幅Ｗは、一般的な平板瓦の寸法に近い３００ｍｍに
するのが最適であり、この場合、利き足Ｂ１の水平投影寸法Ｂは２５０ｍｍとなり、単位
寸法ｗは１００ｍｍになるため、調節瓦２の利き幅ｗは１００ｍｍ、調節瓦2aの利き幅２
ｗは２００ｍｍとなり、役瓦（左右隅棟瓦）３、3aの頭側幅Ｃを３００ｍｍ以上で３００
ｍｍに近い４００ｍｍにし、屋根下地を、軒先寸法Ｌ1 、Ｓ1 が１００ｍｍの倍数になる
様に設計すれば、その他の瓦を使用せずに葺設可能になる。
又、図１に示す様に、寄棟屋根における台形状の屋根面の第１列目に平板瓦１、1a…を
１７枚、利き幅２ｗの調節瓦2aを１枚葺設した場合、軒先寸法Ｌ1 は
Ｌ1 ＝４００ｍｍ×２＋３００ｍｍ×１７＋２００ｍｍ×１＝６１００ｍｍ
となり、屋根面におけるの瓦葺設列の総数ｍ＝８とすると、寄棟屋根における両側の三角
形状の屋根面の軒先寸法Ｓ1 は、
Ｓ1 ＝２５０ｍｍ×８×２＝４０００ｍｍ
となる。
【図面の簡単な説明】
【００１３】
【図１】本発明に係る葺設工法による屋根伏図である。
【図２】図１の要部拡大図である。
【図３】本発明に係る葺設工法に使用する平板瓦、２種類の調節瓦及び２種類の隅棟瓦の平面図である。
【符号の説明】
【００１４】
１、1a…    平板瓦
２、2a      調節瓦
３、3a      役瓦
Ｂ１        利き足
Ｂ          利き足の水平投影寸法
Ｗ          平板瓦の利き幅
ｗ          調節瓦の利き幅
２ｗ        調節瓦の利き幅
θ          屋根勾配
Ｌ1 、Ｓ1   軒先寸法
【図１】
2005256514.tif 000003
【図２】
2005256514.tif 000004
【図３】
2005256514.tif 000005